(57)【特許請求の範囲】
【請求項１】
上階の取付面に側桁の先端面を当接させて取り付ける側桁取付金具であって、
前記取付面に形成されたほぞ穴と略同寸同形状の外郭形状とされ、かつ該ほぞ穴の底面に先端面を対面させて該ほぞ穴に嵌合されるほぞ穴嵌合部と、
前記側桁の先端面に当該側桁取付金具を取り付ける取付部と、
を備えており、
前記ほぞ穴嵌合部は、前記側桁の先端面に沿わせるようにして固定される取付片に対向するように配置され、前記先端面を有した先端片と、該先端片と前記取付片とを連結する連結片と、を備え、
前記取付部は、前記取付片に厚さ方向に貫通して形成された固定止具が挿通される取付孔とされており、
前記先端片には、厚さ方向に貫通し、かつ孔中心を前記取付孔の孔中心に略一致させた操作用孔が形成されていることを特徴とする側桁取付金具。
【請求項２】
請求項１において、
前記取付部は、上下に複数設けられていることを特徴とする側桁取付金具。
【請求項３】
請求項１または２に記載の側桁取付金具と、前記側桁の先端面に着脱自在とされた補助部材と、を備え、
前記補助部材は、当該補助部材及び前記側桁取付金具が前記側桁に取り付けられた状態で前記上階の上面に係止される構造とされ、かつ、該上階の上面に係止された状態で、前記側桁取付金具のほぞ穴嵌合部の先端面を、前記上階の取付面に形成されるほぞ穴の形成位置に位置付けて該取付面に当接させる構造とされていることを特徴とする側桁取付装置。
【請求項４】
請求項３において、
前記補助部材は、前記側桁取付金具を挿通可能とした通孔が設けられ、前記側桁の先端面に着脱自在とされた枠状の本体部と、該本体部に連なるように設けられ、前記上階の上面に係止される係止部と、を備え、
前記本体部の通孔の孔縁には、前記側桁取付金具を前記側桁の先端面に取り付ける固定止具を受入可能とした凹部が形成されており、該本体部は、前記凹部近傍部位が前記側桁の先端面と前記側桁取付金具との間に挟みこまれるようにして前記固定止具によって前記側桁の先端面に取り付けられる構造とされていることを特徴とする側桁取付装置。
【発明の詳細な説明】
【技術分野】
【０００１】
本発明は、階段の側桁を上階の取付面に取り付ける側桁取付金具及びこれを備えた側桁取付装置に関する。
【背景技術】
【０００２】
従来の階段の側桁の取付構造としては、側桁の上端部にほぞを形成し、このほぞを、上階の取付面に形成されたほぞ穴に差し込んで、いわゆるほぞ接ぎによって側桁を上階の取付面に取り付ける構造が知られている（例えば、下記特許文献１参照）。
【先行技術文献】
【特許文献】
【０００３】
【特許文献１】特開２００８−１９０２１６号公報
【発明の概要】
【発明が解決しようとする課題】
【０００４】
しかしながら、このような側桁の取付構造では、側桁の上端部のほぞの加工や上階の取付面のほぞ穴の形成に熟練を要し、また、ほぞの加工にも手間が掛かるという問題があった。
【０００５】
本発明は、上記実情に鑑みてなされたものであり、階段の側桁の上端部を上階の取付面に容易に取り付け得る側桁取付金具及びこれを備えた側桁取付装置を提供することを目的とする。
【課題を解決するための手段】
【０００６】
上記目的を達成するために、本発明に係る側桁取付金具は、上階の取付面に側桁の先端面を当接させて取り付ける側桁取付金具であって、前記取付面に形成されたほぞ穴と略同寸同形状の外郭形状とされ、かつ該ほぞ穴の底面に先端面を対面させて該ほぞ穴に嵌合されるほぞ穴嵌合部と、前記側桁の先端面に当該側桁取付金具を取り付ける取付部と、を備えており、前記ほぞ穴嵌合部は、前記側桁の先端面に沿わせるようにして固定される取付片に対向するように配置され、前記先端面を有した先端片と、該先端片と前記取付片とを連結する連結片と、を備え、前記取付部は、前記取付片に厚さ方向に貫通して形成された固定止具が挿通される取付孔とされており、前記先端片には、厚さ方向に貫通し、かつ孔中心を前記取付孔の孔中心に略一致させた操作用孔が形成されていることを特徴とする。
【０００７】
本発明においては、前記取付部は、上下に複数設けられていてもよい。
【０００８】
また、上記目的を達成するために、本発明に係る側桁取付装置は、本発明に係る側桁取付金具と、前記側桁の先端面に着脱自在とされた補助部材と、を備え、前記補助部材は、当該補助部材及び前記側桁取付金具が前記側桁に取り付けられた状態で前記上階の上面に係止される構造とされ、かつ、該上階の上面に係止された状態で、前記側桁取付金具のほぞ穴嵌合部の先端面を、前記上階の取付面に形成されるほぞ穴の形成位置に位置付けて該取付面に当接させる構造とされていることを特徴とする。
【０００９】
本発明においては、前記補助部材は、前記側桁取付金具を挿通可能とした通孔が設けられ、前記側桁の先端面に着脱自在とされた枠状の本体部と、該本体部に連なるように設けられ、前記上階の上面に係止される係止部と、を備え、前記本体部の通孔の孔縁には、前記側桁取付金具を前記側桁の先端面に取り付ける固定止具を受入可能とした凹部が形成されており、該本体部は、前記凹部近傍部位が前記側桁の先端面と前記側桁取付金具との間に挟みこまれるようにして前記固定止具によって前記側桁の先端面に取り付けられてもよい。
【発明の効果】
【００１０】
本発明に係る側桁取付金具及びこれを備えた側桁取付装置によれば、階段の側桁の上端部を上階の取付面に容易に取り付けることができる。
【図面の簡単な説明】
【００１１】
【図１】（ａ）、（ｂ）は、本発明の一実施形態に係る側桁取付金具の一例及びこれを用いた側桁取付構造の一例を模式的に示し、（ａ）は、図４におけるＸ−Ｘ線矢視に対応させた一部破断概略縦断面図、（ｂ）は、同側桁取付構造の施工手順の一例を模式的に示し、（ａ）に対応させた一部破断概略縦断面図である。
【図２】同側桁取付金具及びこれを備えた本発明の一実施形態に係る側桁取付装置の一例を模式的に示す概略分解斜視図である。
【図３】同側桁取付装置を用いた側桁取付構造の施工手順の一例を模式的に示し、図１（ａ）に対応させた一部破断概略縦断面図である。
【図４】同側桁取付構造を用いた階段の一例を模式的に示す一部破断概略斜視図である。
【発明を実施するための形態】
【００１２】
以下に本発明の実施の形態について、図面に基づいて説明する。
なお、一部の図では、他図に付している詳細な符号の一部を省略している。
また、以下の実施形態では、側桁取付金具（側桁取付装置）を用いて階段の側桁を上階の取付面に取り付けた状態を基準として、上下方向等の方向を説明する。
【００１３】
図１〜図４は、本実施形態に係る側桁取付金具、これを備えた側桁取付装置及びこれらを用いた側桁取付構造の一例を模式的に示す図である。
本実施形態に係る側桁取付装置１（または側桁取付金具１０）は、階段を構成する両側の側桁４，４の上端部を上階２の取付面２ａに取り付ける際に用いられる（図３及び図４参照）。
【００１４】
各側桁４，４の上端部が取り付けられる上階２の取付面２ａは、床面に対して略垂直に形成されている。つまり、取付面２ａは、水平方向に向いた面とされている。この取付面２ａとしては、建物の躯体の梁や根太、側桁下地等の上階側構造部材の表面としてもよい。
上階２の取付面２ａには、略水平方向に向けて開口するようにほぞ穴３が設けられる。本実施形態では、ほぞ穴３を、正面視して略矩形状とされた略四角穴状としている。
【００１５】
側桁取付装置１は、図２及び図３に示すように、側桁取付金具１０と、側桁４の先端面４ａに着脱自在とされた補助部材２０とを備えている。
側桁取付金具１０は、図１に示すように、上階２の取付面２ａに形成されたほぞ穴３に嵌合されるほぞ穴嵌合部１１と、側桁４の先端面４ａに当該側桁取付金具１０を取り付ける取付部１３とを備えている。本実施形態では、上下に複数（図例では２つ）の取付部１３、１３を設けている。
ほぞ穴嵌合部１１は、ほぞ穴３と略同寸同形状の外郭形状とされている。本実施形態では、略四角穴状とされたほぞ穴３の形状に対応させて、ほぞ穴嵌合部１１の外郭形状を、略直方体形状としている。また、ほぞ穴嵌合部１１は、ほぞ穴３の底面３ａに対面される先端面１５ａを有している。
【００１６】
取付部１３は、本実施形態では、側桁４の先端面４ａに沿わせるようにして固定される取付片１２に厚さ方向に貫通して形成された固定止具５が挿通される取付孔１４とされている。また、本実施形態では、上下に取付片１２，１２を設け、これらのそれぞれに取付部１３，１３としての取付孔１４，１４を設けている。これら取付孔１４，１４は、その孔径が、固定止具５の胴部の径に応じた寸法とされている。また、図例では、これら取付孔１４，１４を、各取付片１２，１２の略中央部位に設けた例を示している。
また、ほぞ穴嵌合部１１は、本実施形態では、取付片１２，１２と、取付片１２，１２に対向するように配置され、先端面１５ａを有した先端片１５と、この先端片１５と取付片１２，１２とを連結する連結片１７と、を備えている。なお、本実施形態では、取付片１２，１２を含んでほぞ穴嵌合部１１としているが、このような態様に限られない。例えば、取付片１２がほぞ穴３に嵌合されるほぞ穴嵌合部１１の外郭形状を構成しない態様としてもよい。
【００１７】
本実施形態では、先端片１５の上縁及び下縁から側桁４側に向けてそれぞれ突出するように、上下に連結片１７，１７を設けている。また、これら上下の連結片１７，１７のそれぞれの突出方向先端縁から互いに対向する方向に向けてそれぞれ突出するように上下の取付片１２，１２が設けられている。つまり、上側の連結片１７の突出方向先端縁から下方に向けて垂れ下がるように上側の取付片１２が設けられ、下側の連結片１７の突出方向先端縁から上方に向けて立ち上がるように下側の取付片１２が設けられている。また、これら先端片１５、上下の連結片１７，１７及び上下の取付片１２，１２は一連に形成されている。
【００１８】
また、これら先端片１５、上下の連結片１７，１７及び上下の取付片１２，１２は、略矩形の薄平板状とされており、厚さ寸法がそれぞれ略同寸法とされている（図２参照）。また、これら先端片１５、上下の連結片１７，１７及び上下の取付片１２，１２は、側桁４の厚さ方向（階段昇降方向に直交する方向、左右方向）に沿う寸法がそれぞれ略同寸法とされている。また、図例では、上下の取付片１２，１２の突出方向先端面同士を当接させ、左右方向に開口した略四角筒状とされた側桁取付金具１０を示している。
なお、側桁取付金具１０は、金属系材料等からなる金属板に折り曲げや打ち抜き等の加工を施して上記形状としたものであってもよい。
【００１９】
また、先端片１５には、厚さ方向に貫通し、かつ孔中心を取付片１２の取付孔１４の孔中心に略一致させた操作用孔１６が形成されている。
図例では、上下の取付片１２，１２の各取付孔１４，１４に対応させて、上下に操作用孔１６，１６を先端片１５に設けている。これら操作用孔１６，１６は、それぞれの孔中心を上下の取付片１２，１２の各取付孔１４，１４の孔中心に略一致させて、先端片１５の左右方向（幅方向）略中央部位に上下方向に間隔を空けて形成されている。
また、これら操作用穴１６，１６の孔径は、取付孔１４，１４の孔径よりも大径とされており、固定止具５の頭部の挿通が可能な寸法とされている。
【００２０】
補助部材２０は、当該補助部材２０及び側桁取付金具１０が側桁４に取り付けられた状態で上階２の上面２ｂに係止される構造とされている。また、補助部材２０は、上階２の上面２ｂに係止された状態で、側桁取付金具１０のほぞ穴嵌合部１１の先端面１５ａを、上階２の取付面２ａに形成されるほぞ穴３の形成位置に位置付けて取付面２ａに当接させる構造とされている。
本実施形態では、図２及び図３に示すように、補助部材２０を、側桁４の先端面４ａに着脱自在とされた枠状の本体部２１と、本体部２１に連なるように設けられ、上階２の上面２ｂに係止される係止部２５と、を備えたものとしている。
補助部材２０の本体部２１及び係止部２５は、略矩形の薄平板状とされている。図例では、これら本体部２１及び係止部２５の厚さ寸法及び幅寸法（左右方向に沿う寸法）を略同寸法とした例を示している。
【００２１】
また、本実施形態では、補助部材２０の本体部２１に、側桁取付金具１０を挿通可能とした通孔２２を設けている。この通孔２２は、本体部２１の厚さ方向に貫通するように、本体部２１の略中央部位に形成されている。また、図例では、この通孔２２を、本体部２１の厚さ方向に見て略矩形状とした例を示している。
また、本体部２１の通孔２２の孔縁には、側桁取付金具１０を側桁４の先端面４ａに取り付ける固定止具５を受入可能とした凹部２３が形成されている。
本実施形態では、凹部２３を、通孔２２の下側縁部を切り欠くようにして設けている。また、この凹部２３は、通孔２２の左右方向略中央部位に設けられている。また、図例では、凹部２３を、本体部２１の厚さ方向に見て上方に開口する略半円形状（略Ｕ字形状）とした例を示している。
【００２２】
また、本体部２１は、この凹部２３の近傍部位となる凹部近傍部位２４が側桁４の先端面４ａと側桁取付金具１０との間に挟みこまれるようにして固定止具５によって側桁４の先端面４ａに取り付けられる構造とされている。この凹部近傍部位２４は、側桁４の先端面４ａと側桁取付金具１０との間に挟みこまれる本体部２１の挟み込み代となる。
【００２３】
係止部２５は、本体部２１の上縁から上階２側の斜め上方に向けて突出するように設けられている。
これら本体部２１及び係止部２５の形状や寸法は、側桁４を上階２の取付面２ａの適切な位置に取り付け可能となるように適宜、設定するようにしてもよい。これら本体部２１及び係止部２５の形状や寸法は、側桁４に側桁取付金具１０及び補助部材２０を取り付け、上階２の上面２ｂに係止させた状態で、側桁取付金具１０の先端面１５ａが、上階２の取付面２ａのほぞ穴３を形成すべき位置に当接するように適宜、設定するようにしてもよい。このほぞ穴３の形成位置は、上階２の取付面２ａとこの取付面２ａに当接される側桁４の先端面４ａとの相対的な位置関係及び側桁４の先端面４ａに取り付けられる側桁取付金具１０の取付位置に応じて設定可能である。
なお、補助部材２０は、金属系材料等からなる金属板に折り曲げや打ち抜き等の加工を施して上記形状としたものであってもよい。
【００２４】
次に、本実施形態に係る側桁取付装置１を用いた側桁４の取付構造の施工手順の一例について説明する。
まず、側桁取付金具１０及び補助部材２０を一方の側桁４の先端面４ａに取り付ける。
この際、側桁４の先端面４ａの上階の取付面２ａへの取付位置を加味して側桁取付金具１０の取付片１２，１２を側桁４の先端面４ａに位置付ける。また、取付片１２，１２の各取付孔１４，１４を介して固定止具５，５を側桁４の先端面４ａに捩じ込む（または打ち込む）。この際、側桁取付金具１０の下側の取付片１２と側桁４の先端面４ａとの間に、補助部材２０の本体部２１の凹部近傍部位２４が挟み込み可能となるように仮止め状態としてもよい。
【００２５】
また、上記のように側桁取付金具１０を固定止具５，５によって側桁４の先端面４ａに取り付ける際には、手動または電動ドライバー等の治具の先端部を、ほぞ穴嵌合部１１の先端片１５の各操作用孔１６，１６を介して挿入することで固定止具５，５を捩じ込む（または打ち込む）ことができる。
また、補助部材２０の係止部２５を上側に位置させ補助部材２０の本体部２１の通孔２２に側桁取付金具１０を挿通させる。また、側桁取付金具１０の下側の取付片１２と側桁４の先端面４ａとの間に補助部材２０の本体部２１の凹部近傍部位２４を挟み込ませて補助部材２０を側桁４の先端面４ａに取り付ける。この際、側桁取付金具１０の下側の取付片１２の取付孔１４に挿通された固定止具５を補助部材２０の本体部２１の凹部２３に受け入れさせた状態で、この固定止具５をさらに側桁４の先端面４ａに捩じ込む（または打ち込む）。
これにより、側桁取付金具１０が側桁４の先端面４ａに取り付けられ、また、側桁取付金具１０と側桁４の先端面４ａとの間に補助部材２０の本体部２１が挟み込まれるようにして、補助部材２０が側桁４の先端面４ａに取り付けられる（図３参照）。
なお、側桁取付金具１０を側桁４の先端面４ａに取り付ける際に、側桁取付金具１０の下側の取付片１２と側桁４の先端面４ａとの間に補助部材２０の本体部２１の凹部近傍部位２４を介在させて取り付けるようにしてもよい（図３参照）。
【００２６】
次いで、補助部材２０の係止部２５を上階２の上面２ｂに係止させ、側桁取付金具１０の先端面１５ａを上階２の取付面２ａのほぞ穴３の形成位置に当接させる。この状態で、側桁取付金具１０の先端面１５ａが当接された上階２の取付面２ａに、ほぞ穴３の形成位置をマーキング（墨出し等）する。そして、このマーキングを利用して取付面２ａにほぞ穴３を形成する（図１（ｂ）参照）。
また、補助部材２０を側桁４の先端面４ａから取り外す。この際、側桁取付金具１０の下側の取付孔１４に挿通された固定止具５を緩め、補助部材２０の通孔２２に側桁取付金具１０を位置させるように補助部材２０を移動させ、補助部材２０を抜き取るようにして側桁４の先端面４ａから取り外す。そして、側桁取付金具１０を側桁４の先端面４ａに取り付ける固定止具５，５を本締め（本固定）する。
【００２７】
次いで、上階２の取付面２ａに形成されたほぞ穴３に、側桁４の先端面４ａに取り付けられた側桁取付金具１０のほぞ穴嵌合部１１を嵌合させて、側桁４を上階２の取付面２ａに取り付ける（図１（ａ）参照）。なお、この際、接着剤等を併用するようにしてもよい。
【００２８】
また、他方の側桁４についても上記同様にして上階２の取付面２ａに取り付けるようにすればよい。この際、それぞれの側桁４，４に応じて側桁取付金具１０，１０を設け、補助部材２０は、これら両側桁４，４を取り付ける際に用いられる兼用の補助部材２０としてもよい。
また、各側桁４，４の下端部は、適宜の固定止具や固定具等を用いて、床材や床下地、根太等の下階側構造部材に対して固定するようにしてもよい。
また、このように取り付けられた両側の側桁４，４に、図４に示すように、踏み板６や、必要に応じて蹴込み板等を組み付けるようにしてもよい。
また、上記施工手順は一例であり、各部材及び各部の機能を阻害しない限りにおいて、別手順でなされるようにしてもよい。
【００２９】
本実施形態に係る側桁取付金具１０によれば、階段の側桁４の上端部を上階２の取付面２ａに容易に取り付けることができる。
つまり、側桁取付金具１０は、上階２の取付面２ａに形成されたほぞ穴３に嵌合されるほぞ穴嵌合部１１及び側桁４の先端面４ａに取り付けられる取付部１３（取付孔１４）を備えている。従って、当該側桁取付金具１０を側桁４の先端面４ａに取り付けることで、ほぞ穴嵌合部１１をほぞとして機能させることができ、側桁４の上端部にほぞ加工を施す必要がなく、階段の側桁４の上端部を上階２の取付面２ａに容易に取り付けることができる。
また、このようにほぞ加工が不要でありながらも、上階２の取付面２ａに形成されたほぞ穴３に嵌合されるので、側桁４の上端部の外周に金具等が露出することがない。
また、ほぞ穴嵌合部１１は、ほぞ穴３と略同寸同形状の外郭形状とされ、かつほぞ穴３の底面３ａに対面される先端面１５ａを有している。従って、上述のように、上階２の取付面２ａのほぞ穴３を設ける部位にほぞ穴嵌合部１１の先端面１５ａを当接させることで、ほぞ穴３の形成位置をマーキングすることができ、ほぞ穴３を形成する際における作業性を向上させることもできる。
【００３０】
また、本実施形態では、側桁取付金具１０に、上下に複数の取付部１３，１３（取付孔１４，１４）を設けているので、これら取付部１３，１３を介して側桁取付金具１０を側桁４の先端面４ａへ取り付けることができる。従って、概ね上下方向に負荷が掛かる側桁取付金具１０を側桁４の先端面４ａに比較的に強固に取り付けることができる。
【００３１】
さらに、本実施形態では、側桁取付金具１０を、取付部１３としての取付孔１４を設けた取付片１２と、ほぞ穴嵌合部１１となる連結片１７，１７及び先端片１５とを有した構造としている。従って、例えば、側桁取付金具１０をブロック状体とした場合と比べて、側桁取付金具１０の材料コストを低減することができ、また、軽量化を図ることができる。
また、このように材料コストの低減化や軽量化が可能でありながらも、当該側桁取付金具１０を側桁４の先端面４ａに比較的に確実に取り付けることができる。つまり、ほぞ穴嵌合部１１の先端片１５に、厚さ方向に貫通し、かつ孔中心を取付片１２の取付孔１４の孔中心に略一致させた操作用孔１６を設けている。従って、上述のように、この操作用孔１６を介して固定止具５の治具を挿入することができ、この治具を操作して、固定止具５によって取付片１２を側桁４の先端面４ａに取り付けることができる。これにより、例えば、取付孔１４に対して斜めに固定止具５を捩じ込んだり（または打ち込んだり）する場合や、さらには先端片１５とともに固定止具５によって取付片１２を取り付けたりする場合に比べて、当該側桁取付金具１０を側桁４の先端面４ａに比較的に確実に取り付けることができる。
【００３２】
さらにまた、本実施形態に係る側桁取付金具１０を備えた側桁取付装置１は、側桁４の先端面４ａに着脱自在とされた補助部材２０を備え、この補助部材２０は、当該補助部材２０及び側桁取付金具１０が側桁４に取り付けられた状態で上階２の上面２ｂに係止される構造とされている。また、補助部材２０は、上階２の上面２ｂに係止された状態で、側桁取付金具１０のほぞ穴嵌合部１１の先端面１５ａを、上階２の取付面２ａに形成されるほぞ穴３の形成位置に位置付けて取付面２ａに当接させる構造とされている。従って、上階２の取付面２ａに形成されるほぞ穴３の形成位置のマーキングを容易かつ確実に行うことができる。
また、補助部材２０は、側桁４の先端面４ａに着脱自在とされているので、マーキングを施した後は、側桁４の先端面４ａから取り外すことができる。従って、当該補助部材２０が施工後に他の部材と干渉したり、邪魔となったりするようなことがない。
【００３３】
また、本実施形態では、補助部材２０の本体部２１を、側桁取付金具１０と側桁４の先端面４ａとの間に挟み込ませ、側桁取付金具１０を側桁４の先端面４ａに取り付ける固定止具５によって側桁４の先端面４ａに取り付けることができる。従って、例えば、側桁取付金具１０とは別途に側桁４の先端面４ａに取り付けられるようなものと比べて、補助部材２０の取付位置の位置決めを容易に行うことができる。つまり、側桁取付金具１０を側桁４の先端面４ａに適切な位置に取り付け、この際に補助部材２０の本体部２１を取り付けることで補助部材２０の取付位置が適切な位置となり、それぞれを位置決めして取り付ける場合と比べて作業性を向上させることができる。また、例えば、枠状の本体部２１の通孔２２に側桁取付金具１０を嵌め込むようにして受け入れさせて取り付けるようなものと比べて、補助部材２０の脱落等を防止することができる。
【００３４】
また、補助部材２０の本体部２１に、側桁取付金具１０が挿通可能な通孔２を設け、この通孔２２の孔縁に固定止具５を受入可能な凹部２３を設けている。従って、例えば、凹部２３を設けないものと比べて、側桁４の先端面４ａと前記側桁取付金具１０との間に挟みこまれる本体部２１の挟み込み代を大きくすることができ、側桁４の先端面４ａに取り付けられる補助部材２０の取付強度を向上させることができる。
また、上階２の取付面２ａにほぞ穴３の形成位置をマーキングした後は、本体部２１の凹部２３から固定止具５を通孔２２側に向けて移動させるように本体部２１を移動させ、側桁４の先端面４ａに取り付けられた側桁取付金具１０を通孔２２に受け入れて本体部２１を移動させることで取り外すことができる。従って、ほぞ穴３の形成位置をマーキングした後に、補助部材２０を取り外す際に、例えば、側桁取付金具１０を取り外す必要があるようなものと比べて、作業性を向上させることができる。つまり、本実施形態によれば、補助部材２０によってほぞ穴３の形成位置を容易かつ確実にマーキング可能でありながらも、補助部材２０の取付強度及び作業性を向上させることができる。
【００３５】
なお、本実施形態では、取付片１２、先端片１５及び連結片１７からなる側桁取付金具１０を左右両側に開口したような筒形状とした例を示しているが、上下両側に開口したような筒形状としてもよい。また、閉ループ形状の筒形状に限られず、例えば、折り曲げ加工により筒状に側桁取付金具１０を形成し、両端部（一対の取付片１２，１２）間に隙間が形成されるものとしてもよい。または、筒状部材を開口方向に直交する方向に切断して筒形状の側桁取付金具１０を形成するようにしてもよい。さらには、側桁取付金具１０の断面（縦断面または横断面）形状を、略Ｉ字状や略Ｈ字状としてもよい。
【００３６】
また、本実施形態では、側桁取付金具１０に上下に複数の取付部１３，１３（取付孔１４，１４）を設けた例を示しているが、このような態様に限られない。例えば、左右に複数の取付部１３，１３（取付孔１４，１４）を設けた態様としたり、さらには単一の取付部１３（取付孔１４）を設けた態様としてもよい。
また、側桁取付金具１０としては、上記したような取付片１２、先端片１５及び連結片１７からなるものに限られない。ほぞ穴３と略同寸同形状の外郭形状とされ、かつほぞ穴３の底面３ａに先端面１５ａを対面させてほぞ穴３に嵌合されるほぞ穴嵌合部１１と、側桁４の先端面４ａに当該側桁取付金具１０を取り付ける取付部１３と、を備えたものであればよい。例えば、ブロック状体とされた側桁取付金具１０としてもよい。この場合は、ブロック状体とされた側桁取付金具１０全体をほぞ穴嵌合部１１として把握し、取付部１３としての取付孔１４を、該ブロック状体に設けた態様としてもよい。
【００３７】
また、本実施形態では、側桁取付装置１の補助部材２０の本体部２１の通孔２２の孔縁に、側桁取付金具１０を側桁４の先端面４ａに取り付ける固定止具５を受入可能とした凹部２３を設けた例を示したが、このような凹部２３を設けないようにしてもよい。
また、本実施形態では、補助部材２０を、側桁取付金具１０を挿通可能とした通孔２２を設けた本体部２１を備えたものとし、この本体部２１が側桁取付金具１０と側桁４の先端面４ａとの間に挟み込まれて側桁４の先端面４ａに取り付けられるものとした例を示したが、このような態様に限られない。例えば、側桁取付金具１０とは別に、側桁４の先端面４ａに取り付けられる補助部材２０としてもよい。
【００３８】
また、本実施形態では、補助部材２０を備えた側桁取付装置１を例示しているが、このような補助部材２０を備えない側桁取付金具１０（側桁取付装置１）としてもよい。このようなものでも、当該側桁取付金具１０のほぞ穴嵌合部１１をほぞとして機能させることができ、階段の側桁４の上端部を上階２の取付面２ａに容易に取り付けることができる。
また、上述のように、上階２の取付面２ａのほぞ穴３を設ける部位にほぞ穴嵌合部１１の先端面１５ａを当接させることで、ほぞ穴３の形成位置をマーキングすることができ、ほぞ穴３を形成する際における作業性を向上させることもできる。
【符号の説明】
【００３９】
１                側桁取付装置
２                上階
２ａ              取付面
２ｂ              上面
３                ほぞ穴
３ａ              底面
４                側桁
４ａ              先端面
１０              側桁取付金具
１１              ほぞ穴嵌合部
１２              取付片
１４（１３）      取付孔（取付部）
１５              先端片
１５ａ            先端面
１６              操作用孔
１７              連結片
２０              補助部材
２１              本体部
２２              通孔
２３              凹部
２４              凹部近傍部位
２５              係止部
５                固定止具
【図１】
0005899481.tif 000002
【図２】
0005899481.tif 000003
【図３】
0005899481.tif 000004
【図４】
0005899481.tif 000005